【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
所定の言語の複数の発話テキストと、各発話テキストに対応する発話音声データとを用いて、被験者の前記所定の言語によるコミュニケーション能力を予め定める測定尺度によって定量的に推定するためのコミュニケーション能力推定装置であって、前記所定の言語の発話の聴取り能力と、前記予め定める測定尺度の値との間には予め統計的な相関関係が準備されており、
前記所定の発話テキストに対応する発話音声データに基づいて、発話音声を順次発生するための音声発生手段と、
前記音声発生手段により順次発生された発話音声の各々に対する前記被験者の聴取りテキストの入力を受けるための入力手段と、
前記入力手段が受けた前記聴取りテキストの各々と、それらに対応する発話テキストとの間の類似度を算出するための類似度算出手段と、
前記類似度算出手段により算出された類似度を、前記相関関係に基づいて前記予め定める測定尺度の値に換算するための手段とを含む、コミュニケーション能力推定装置。
【請求項２】
前記類似度算出手段は、前記聴取りテキストの各々と、それらに対応する発話テキストとの間の編集距離に基づいて類似度を算出するための手段を含む、請求項１に記載のコミュニケーション能力推定装置。
【請求項３】
前記相関関係は、前記所定の言語の発話の聴取り能力と、前記予め定める測定尺度の値との間に予め統計的に確立された回帰直線により定められる、請求項１又は請求項２に記載のコミュニケーション能力推定装置。
【請求項４】
前記被験者は前記所定言語の音声認識装置であり、
前記音声発生手段は、前記所定の発話テキストに対応する発話音声データに基づいて、発話音声信号を生成し、前記音声認識装置に入力として与えるための手段を含み、
前記入力手段は、前記発話音声信号に応答して、音声認識装置が出力する音声認識テキストを受信するための手段を含む、請求項１〜請求項３のいずれかに記載のコミュニケーション能力推定装置。
【請求項５】
コンピュータにより実行されると、請求項１〜請求項４のいずれかに記載のコミュニケーション能力推定装置として前記コンピュータを動作させる、コンピュータプログラム。
【請求項６】
所定の言語の複数の発話テキストと、各発話テキストに対応する発話音声データとを用いて、被験者の前記所定の言語によるコミュニケーション能力を予め定める測定尺度によって定量的に推定するコミュニケーション能力推定方法であって、
前記所定の言語の発話の聴取り能力と、前記予め定める測定尺度の値との間に統計的な相関関係を推定するステップと、
前記複数の発話テキストの各々に対して、
前記所定の発話テキストに対応する発話音声データに基づいて、発話音声を発生する音声発生ステップ、
前記音声発生ステップにおいて発生された発話音声の各々に対する前記被験者の聴取りテキストの入力を受ける入力ステップ、及び
前記入力ステップにおいて受けた前記聴取りテキストと、対応する発話テキストとの間の類似度を算出する類似度算出ステップ、
を行なうステップと、
算出された類似度を、前記相関関係に基づいて前記予め定める測定尺度の値に換算するステップとを含む、コミュニケーション能力推定方法。
【請求項７】
前記類似度算出ステップは、前記聴取りテキストの各々と、それらに対応する発話テキストとの間の編集距離に基づいて類似度を算出するステップを含む、請求項６に記載のコミュニケーション能力推定方法。
【請求項８】
前記相関関係は、前記所定の言語の発話の聴取り能力と、前記予め定める測定尺度の値との間に予め統計的に推定された回帰直線により定められる、請求項６又は請求項７に記載のコミュニケーション能力推定方法。
【請求項９】
前記被験者は前記所定言語の音声認識装置であり、
前記音声発生ステップは、前記所定の発話テキストに対応する発話音声データに基づいて、発話音声信号を生成し、前記音声認識装置に入力として与えるステップを含み、
前記入力ステップは、前記発話音声信号に応答して、音声認識装置が出力する音声認識テキストを受信するステップを含む、請求項６〜請求項８のいずれかに記載のコミュニケーション能力推定方法。
【請求項１０】
コンピュータにより実行されると、請求項６〜請求項９のいずれかに記載のコミュニケーション能力推定方法を実行するように前記コンピュータを動作させる、コンピュータプログラム。
【手続補正２】
【補正対象書類名】明細書
【補正対象項目名】００１０
【補正方法】変更
【補正の内容】
【００１０】
同様の問題は英語に限らず、ほかの言語でも生じうる。例えばドイツ語、フランス語、中国語、日本語などのコミュニケーション能力を知るために、英語におけるＴＯＥＩＣと同様の試験があったとしても、その試験を受けるためにはやはり長時間を要すると思われる。したがって、ある言語に関する個人のコミュニケーション能力をそうした試験のスコアに換算して測るための簡易な装置及び方法が望まれている。
【手続補正３】
【補正対象書類名】明細書
【補正対象項目名】００２３
【補正方法】変更
【補正の内容】
【００２３】
本発明の第４の局面に係るコンピュータプログラムは、コンピュータにより実行されると、上記したいずれかのコミュニケーション能力推定方法を実行するようにコンピュータを動作させるものである。
【手続補正４】
【補正対象書類名】明細書
【補正対象項目名】００３３
【補正方法】変更
【補正の内容】
【００３３】
以下、このようにして求められた回帰直線９０を用いたＴＯＥＩＣスコア推定装置２２の構成及び動作について述べる。
【手続補正５】
【補正対象書類名】明細書
【補正対象項目名】００５７
【補正方法】変更
【補正の内容】
【００５７】
図６を参照して、コンピュータ３４０は、ＦＤドライブ３５２およびＣＤ−ＲＯＭドライブ３５０に加えて、ＣＰＵ（中央処理装置）３５６と、ＣＰＵ３５６、ＦＤドライブ３５２およびＣＤ−ＲＯＭドライブ３５０に接続されたバス３６６と、ブートアッププログラム等を記憶する読出専用メモリ（ＲＯＭ）３５８と、バス３６６に接続され、プログラム命令、システムプログラム、および作業データ等を記憶するランダムアクセスメモリ（ＲＡＭ）３６０とを含む。コンピュータシステム３３０はさらに、図示しないプリンタを含んでいる。
【手続補正６】
【補正対象書類名】明細書
【補正対象項目名】００６０
【補正方法】変更
【補正の内容】
【００６０】
このプログラムは、コンピュータ３４０を上記したＴＯＥＩＣスコア推定装置２２又はＴＯＥＩＣスコア推定装置１４２として動作させる複数の命令を含む。このために必要な基本的機能のいくつかはコンピュータ３４０上で動作するオペレーティングシステム（ＯＳ）またはサードパーティのプログラム、もしくはコンピュータ３４０にインストールされる各種ツールキットのモジュールにより提供される。従って、このプログラムはこの実施の形態のシステムおよび方法を実現するのに必要な機能全てを必ずしも含まなくてよい。このプログラムは、命令のうち、所望の結果が得られるように制御されたやり方で適切な機能または「ツール」を呼出すことにより、上記した処理を実行する命令のみを含んでいればよい。コンピュータシステム３３０の動作は周知であるので、ここでは繰返さない。
【手続補正７】
【補正対象書類名】明細書
【補正対象項目名】００６５
【補正方法】変更
【補正の内容】
【００６５】
２２，１４２  ＴＯＥＩＣスコア推定装置、２４  スピーカ、２６  キーボード、２８,１４４  ＴＯＥＩＣスコア、６０  記憶装置、６２  文選択部、６４  音声出力部、６６  ディクテーションテキスト入力部、６８  英語聴取りテキスト、７０  繰返し制御部、７２  類似度算出部、７４  ＴＯＥＩＣスコア算出部、９０  回帰直線、１４０  英語音声認識装置、１５０  音声変換部、１５２  音声認識テキスト入力部、１５４  英語音声認識テキスト